(57)【要約】【課題】ペダリング機構を有する装置のユーザをより適切に支援すること。【解決手段】情報処理システム１は、計測装置１００を含み、計測装置１００は、センサ情報取得部１５１と、非加速こぎ動作検出部１５２と、を備える。センサ情報取得部１５１は、ペダリング機構を有する装置を操作している際のユーザの物理量またはユーザがペダリング機構を有する装置を操作する動作により前記ペダリング機構に作用する物理量を取得する。非加速こぎ動作検出部１５２は、センサ情報取得部１５１により取得された物理量に基づいて、ユーザがペダリング機構を有する装置を加速させない非加速こぎ動作状態にあることを検出する。【選択図】図５
2018158672.tif 000002
【特許請求の範囲】
【請求項１】
ペダリング機構を有する装置を操作している際のユーザの物理量またはユーザがペダリング機構を有する装置を操作する動作により前記ペダリング機構に作用する物理量を取得する取得手段と、
前記取得手段により取得された前記物理量に基づいて、前記ユーザがペダリング機構を有する装置を加速させない非加速こぎ動作状態にあることを検出する非加速こぎ動作検出手段と、
を備えることを特徴とする情報処理装置。
【請求項２】
前記取得手段は、前記物理量として、ペダリング機構を有する装置を操作している際のユーザの角速度を取得することを特徴とする請求項１に記載の情報処理装置。
【請求項３】
前記情報処理装置は、ユーザの身体に装着される身体装着型の装置として構成されることを特徴とする請求項２に記載の情報処理装置。
【請求項４】
前記非加速こぎ動作検出手段は、ユーザの身体における鉛直軸周りの角速度波形の３次高調波成分に基づいて、前記非加速こぎ動作を検出することを特徴とする請求項２または３に記載の情報処理装置。
【請求項５】
前記非加速こぎ動作検出手段により非加速こぎ動作状態が検出された場合に、所定の機器の動作を制御するための信号を出力する制御信号出力手段を備えることを特徴とする請求項１乃至４のいずれか一項に記載の情報処理装置。
【請求項６】
ペダリング機構を有する装置を操作しているユーザがペダリング機構を有する装置を加速させない非加速こぎ動作を行っているか否かを判定する動作判定手段と、
前記動作判定手段によって、ペダリング機構を有する装置を操作しているユーザがペダリング機構を有する装置を加速させない非加速こぎ動作を行っていると判定された場合に、予め設定された所定の機器の動作を制御する動作制御手段と、
を備えることを特徴とする情報処理装置。
【請求項７】
前記動作制御手段は、前記動作判定手段によって、ペダリング機構を有する装置を操作しているユーザがペダリング機構を有する装置を加速させない非加速こぎ動作を行っていると判定された場合に、前記所定の機器としての撮像装置に撮影動作を行わせることを特徴とする請求項６に記載の情報処理装置。
【請求項８】
前記動作制御手段は、前記動作判定手段によって、ペダリング機構を有する装置を操作しているユーザがペダリング機構を有する装置を加速させない非加速こぎ動作を行っていると判定された場合に、前記所定の機器としてのゲーム機またはシミュレータに、予め設定された所定の動作を行わせることを特徴とする請求項６に記載の情報処理装置。
【請求項９】
前記動作制御手段は、前記動作判定手段によって、ペダリング機構を有する装置を操作しているユーザがペダリング機構を有する装置を加速させない非加速こぎ動作を行っていると判定された場合に、前記所定の機器としてのブレーキ装置にペダリング機構を有する装置の制動動作を行わせることを特徴とする請求項６に記載の情報処理装置。
【請求項１０】
前記非加速こぎ動作とは、逆こぎ動作若しくはペダルを逆回転させる動作であることを特徴とする請求項１乃至９のいずれか一項に記載の情報処理装置。
【請求項１１】
情報処理装置が実行する情報処理方法であって、
ペダリング機構を有する装置を操作している際のユーザの物理量またはユーザがペダリング機構を有する装置を操作する動作により前記ペダリング機構に作用する物理量を取得する取得ステップと、
前記取得ステップにより取得された前記物理量に基づいて、前記ユーザがペダリング機構を有する装置を加速させない非加速こぎ動作状態にあることを検出する非加速こぎ動作検出ステップと、
を含むことを特徴とする情報処理方法。
【請求項１２】
ペダリング機構を有する装置を操作しているユーザがペダリング機構を有する装置を加速させない非加速こぎ動作を行っているか否かを判定する動作判定ステップと、
前記動作判定ステップにおいて、ペダリング機構を有する装置を操作しているユーザがペダリング機構を有する装置を加速させない非加速こぎ動作を行っていると判定された場合に、予め設定された所定の機器の動作を制御する動作制御ステップと、
を含むことを特徴とする情報処理方法。
【請求項１３】
コンピュータに、
ペダリング機構を有する装置を操作している際のユーザの物理量またはユーザがペダリング機構を有する装置を操作する動作により前記ペダリング機構に作用する物理量を取得する取得機能と、
前記取得機能により取得された前記物理量に基づいて、前記ユーザがペダリング機構を有する装置を加速させない非加速こぎ動作状態にあることを検出する非加速こぎ動作検出機能と、
を実現させることを特徴とするプログラム。
【請求項１４】
コンピュータに、
ペダリング機構を有する装置を操作しているユーザがペダリング機構を有する装置を加速させない非加速こぎ動作を行っているか否かを判定する動作判定機能と、
前記動作判定機能によって、ペダリング機構を有する装置を操作しているユーザがペダリング機構を有する装置を加速させない非加速こぎ動作を行っていると判定された場合に、予め設定された所定の機器の動作を制御する動作制御機能と、
を実現させることを特徴とするプログラム。
【発明の詳細な説明】
【技術分野】
【０００１】
本発明は、情報処理装置、情報処理方法及びプログラムに関する。
【背景技術】
【０００２】
近年、小型カメラの普及により、様々なアウトドアシーンでの撮影が行われるようになっており、自転車の運転中に自動的に風景等を撮影する技術も提案されている。
例えば、特許文献１には、センサによって計測された物理量に基づいて、ユーザが自転車を運転している状態に関する評価を行い、この評価結果に基づいて、撮像装置を制御する技術が開示されている。
【先行技術文献】
【特許文献】
【０００３】
【特許文献１】特開２０１６−１１９６２４号公報
【発明の概要】
【発明が解決しようとする課題】
【０００４】
しかしながら、従来の技術においては、検出可能なユーザの動作が限られており、自転車のユーザを支援する上で、改善の余地がある。なお、このような課題は、自転車に限られず、ペダリング機構を有する装置に共通するものである。
【０００５】
本発明は、このような状況に鑑みてなされたものであり、ペダリング機構を有する装置のユーザをより適切に支援することを目的とする。
【課題を解決するための手段】
【０００６】
上記目的を達成するため、本発明の一態様の情報処理装置は、
ペダリング機構を有する装置を操作している際のユーザの物理量またはユーザがペダリング機構を有する装置を操作する動作により前記ペダリング機構に作用する物理量を取得する取得手段と、
前記取得手段により取得された前記物理量に基づいて、前記ユーザがペダリング機構を有する装置を加速させない非加速こぎ動作状態にあることを検出する非加速こぎ動作検出手段と、
を備える。
【発明の効果】
【０００７】
本発明によれば、ペダリング機構を有する装置のユーザをより適切に支援することができる。
【図面の簡単な説明】
【０００８】
【図１】本発明の一実施形態に係る情報処理装置を含む情報処理システムのシステム構成を示す模式図である。
【図２】計測装置のハードウェアの構成を示すブロック図である。
【図３】情報表示装置のハードウェア構成を示すブロック図である。
【図４】撮像装置のハードウェア構成を示すブロック図である。
【図５】本発明の情報処理装置を含むシステムの機能的構成のうち、非加速こぎ動作検出処理及び撮影処理を実行するための機能的構成を示す機能ブロック図である。
【図６】自転車をこぐユーザにおける鉛直軸周りの角速度の波形パターンを例示する図である。
【図７】図５の機能的構成を有する図２の計測装置が実行する非加速こぎ動作検出処理の流れを説明するフローチャートである。
【図８】角速度解析処理の流れを説明するフローチャートである。
【図９】図５の機能的構成を有する図４の撮像装置が実行する撮影処理の流れを説明するフローチャートである。
【発明を実施するための形態】
【０００９】
以下、本発明の実施形態について、図面を用いて説明する。
【００１０】
［第１実施形態］
図１は、本発明の一実施形態に係る情報処理装置を含む情報処理システム１のシステム構成を示す模式図である。なお、ここでは、ペダリング機構を有する装置が自転車である場合について説明する。
情報処理システム１は、本発明の情報処理装置としての計測装置１００と、情報表示装置２００と、撮像装置３００とを含んで構成され、これらの装置は、ブルートゥース（登録商標）等の無線通信によって互いに通信可能に構成されている。
計測装置１００は、自転車のユーザの身体（例えば腰部）に装着され、ユーザの身体における物理量を計測する。
情報表示装置２００は、スマートフォン等の携帯端末によって構成され、計測装置１００の計測結果を表示する。
撮像装置３００は、ユーザの身体（例えば頭部）に装着され、ユーザが視認する風景を撮影する。
【００１１】
［ハードウェア構成］
図２は、計測装置１００のハードウェアの構成を示すブロック図である。
計測装置１００は、ＣＰＵ（Ｃｅｎｔｒａｌ  Ｐｒｏｃｅｓｓｉｎｇ  Ｕｎｉｔ）１１１と、ＲＯＭ（Ｒｅａｄ  Ｏｎｌｙ  Ｍｅｍｏｒｙ）１１２と、ＲＡＭ（Ｒａｎｄｏｍ  Ａｃｃｅｓｓ  Ｍｅｍｏｒｙ）１１３と、バス１１４と、入出力インターフェース１１５と、センサ部１１６と、入力部１１７と、出力部１１８と、記憶部１１９と、通信部１２０と、を備えている。
【００１２】
ＣＰＵ１１１は、ＲＯＭ１１２に記録されているプログラム、または、記憶部１１９からＲＡＭ１１３にロードされたプログラムに従って各種の処理を実行する。
【００１３】
ＲＡＭ１１３には、ＣＰＵ１１１が各種の処理を実行する上において必要なデータ等も適宜記憶される。
【００１４】
ＣＰＵ１１１、ＲＯＭ１１２及びＲＡＭ１１３は、バス１１４を介して相互に接続されている。このバス１１４にはまた、入出力インターフェース１１５も接続されている。入出力インターフェース１１５には、センサ部１１６、入力部１１７、出力部１１８、記憶部１１９及び通信部１２０が接続されている。
【００１５】
センサ部１１６は、物理量を計測するセンサと、位置を測定する位置センサとを備えている。本実施形態において、センサ部１１６は、３軸加速度センサを備え、ユーザの装着部位における鉛直方向及び水平方向の加速度を計測する。また、センサ部１１６は、３軸角速度センサ（ジャイロセンサ）を備え、ユーザの身体における回転運動の角速度を計測する。また、センサ部１１６は、ＧＰＳ（Ｇｌｏｂａｌ  Ｐｏｓｉｔｉｏｎｉｎｇ  Ｓｙｓｔｅｍ）信号を受信し、ＧＰＳに基づく位置信号を取得する。
入力部１１７は、各種ボタン等で構成され、ユーザの指示操作に応じて各種情報を入力する。
出力部１１８は、ランプやスピーカあるいは振動用モータ等で構成され、光や音声あるいはバイブレーション信号を出力する。
記憶部１１９は、ＤＲＡＭ（Ｄｙｎａｍｉｃ  Ｒａｎｄｏｍ  Ａｃｃｅｓｓ  Ｍｅｍｏｒｙ）等の半導体メモリで構成され、各種データを記憶する。
通信部１２０は、端末間の直接的な無線通信によって他の装置との間で行う通信を制御する。
【００１６】
図３は、情報表示装置２００のハードウェア構成を示すブロック図である。
情報表示装置２００は、ＣＰＵ２１１と、ＲＯＭ２１２と、ＲＡＭ２１３と、バス２１４と、入出力インターフェース２１５と、撮像部２１６と、入力部２１７と、出力部２１８と、記憶部２１９と、通信部２２０と、ドライブ２２１と、を備えている。
【００１７】
これらのうち、ＣＰＵ２１１、ＲＯＭ２１２、ＲＡＭ２１３、バス２１４及び入出力インターフェース２１５の構成は、図２における計測装置１００の対応する構成と同様である。
【００１８】
撮像部２１６は、図示はしないが、光学レンズ部と、イメージセンサと、を備えている。
【００１９】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００２０】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部２１６の出力信号として出力される。
このような撮像部２１６の出力信号を、以下、「撮像画像のデータ」と呼ぶ。撮像画像のデータは、ＣＰＵ２１１等に適宜供給される。
【００２１】
入力部２１７は、各種ボタンやタッチパネル等で構成され、ユーザの指示操作に応じて各種情報を入力する。
出力部２１８は、ディスプレイやスピーカ等で構成され、画像や音声を出力する。
記憶部２１９は、ハードディスクあるいはＤＲＡＭ等で構成され、各種データを記憶する。
通信部２２０は、端末間の直接的な無線通信あるいはインターネットを含むネットワークを介して他の装置との間で行う通信を制御する。
【００２２】
ドライブ２２１には、磁気ディスク、光ディスク、光磁気ディスク、あるいは半導体メモリ等よりなる、リムーバブルメディア２３１が適宜装着される。ドライブ２２１によってリムーバブルメディア２３１から読み出されたプログラムは、必要に応じて記憶部２１９にインストールされる。また、リムーバブルメディア２３１は、記憶部２１９に記憶されている画像のデータ等の各種データも、記憶部２１９と同様に記憶することができる。
【００２３】
図４は、撮像装置３００のハードウェア構成を示すブロック図である。
撮像装置３００は、例えばウェアラブルなデジタルカメラ等によって構成され、ＣＰＵ３１１と、ＲＯＭ３１２と、ＲＡＭ３１３と、バス３１４と、入出力インターフェース３１５と、撮像部３１６と、記憶部３１７と、通信部３１８と、操作部３１９とを備えている。
【００２４】
これらのうち、ＣＰＵ３１１、ＲＯＭ３１２、ＲＡＭ３１３、バス３１４、入出力インターフェース３１５及び通信部３１８の構成は、図１における計測装置１００の対応する構成と同様である。また、撮像部３１６及び記憶部３１７の構成は、情報表示装置２００の対応する構成と同様である。操作部３１９はユーザの操作を受け付けて、撮影モードの設定や、手動設定に係る種々の設定を受け付ける。
【００２５】
図５は、本発明の情報処理装置を含む情報処理システム１の機能的構成のうち、非加速こぎ動作検出処理及び撮影処理を実行するための機能的構成を示す機能ブロック図である。
非加速こぎ動作検出処理とは、計測装置１００において、センサ部１１６によって取得した物理量からユーザが自転車を加速させない非加速こぎ動作の状態にあることを判定し、判定結果に応じた形態で画像の撮影を行うための信号を出力する一連の処理をいう。
また、撮影処理とは、撮像装置３００において、非加速こぎ動作検出処理を実行する計測装置１００からの撮影制御指令信号を受けて、撮影を実行する一連の処理をいう。
本実施形態においては、ペダルの回転軸にラチェット歯車を用いたフリーホイール機構を備えている自転車に乗車する場合を想定している。また、本実施形態において、非加速こぎ動作とは、ペダルに対して駆動方向のトルクを与えない動作を表し、例えば、自転車のペダルを逆回転または停止させる動作は、非加速こぎ動作に相当する。なお、後述する順こぎ動作は、ペダルに対して駆動方向のトルクを与える動作を表し、例えば、後輪の回転速度をギア比で変換したペダルの回転速度よりも、ペダルの回転速度を高めようとする動作は、順こぎ動作に相当する。
【００２６】
非加速こぎ動作検出処理が実行される場合には、図５に示すように、計測装置１００のＣＰＵ１１１において、センサ情報取得部１５１と、非加速こぎ動作検出部１５２と、撮影制御部１５３と、乗車判定部１５４と、出力制御部１５５とが機能する。同様に、情報表示装置２００のＣＰＵ２１１において、表示情報受信部２５１と、表示制御部２５２とが機能する。
また、計測装置１００における記憶部１１９の一領域には、センサ情報記憶部１７１が設定される。
センサ情報記憶部１７１には、センサ情報取得部１５１によって取得された各種検出結果のデータが、検出された時間と対応付けて、時系列に記憶される。
【００２７】
計測装置１００において、センサ情報取得部１５１は、センサ部１１６によって計測された物理量のデータ（センサ情報）を予め設定された時間（例えば、０．１秒）毎に取得する。
非加速こぎ動作検出部１５２は、センサ情報取得部１５１によって取得された物理量のデータを基に、後述する非加速こぎ動作判定処理を実行し、ユーザが自転車を加速させない非加速こぎ動作の状態であることを検出する。
なお、以下、非加速こぎ動作判定処理を実行して得た判定結果を、適宜「非加速こぎ動作判定処理結果」と呼ぶ。
【００２８】
図６は、自転車をこぐユーザにおける鉛直軸周りの角速度の波形パターンを例示する図である。
詳細には、図６では、被験者Ａ、被験者Ｂ、被験者Ｃの３者について、自転車のペダルを、それぞれ、順こぎ動作と非加速こぎ動作とを行ったときの波形が表されている。
ここで、順こぎ動作は、図中「通常回転」と表記され、非加速こぎ動作は、図中「逆回転」と表記されている。
【００２９】
図６の角速度の波形パターンでは、被験者の如何に依らず、逆回転の場合に３次高調波成分（基本波の３倍の周波数を持つ高調波）が増加傾向を呈している。
したがって、センサ部１１６のジャイロセンサによる検出結果に基づいて、ユーザが非加速こぎ動作を行っていることを検出できる。
【００３０】
図５に戻り、撮影制御部１５３は、非加速こぎ動作検出部１５２によってユーザが非加速こぎ動作状態にあることが検出された場合、撮像装置３００に対して、撮影制御指令信号を出力する。このとき出力される撮影制御指令信号は、即時に撮影を行わせる指令とインターバル撮影の撮影間隔を短縮させるための指令とが含まれている。
【００３１】
乗車判定部１５４は、センサ情報取得部１５１によって取得された物理量を基に、ユーザが自転車に乗車している状態であるか否かを判定する。ユーザが自転車に乗車している状態であるか否かは、鉛直方向、前後方向及び左右方向の加速度の波形パターンから判定することができる。なお、ユーザが自転車に乗車している状態であるか否かについては、出願人により特願２０１５−０３８８５９に開示された技術等を用いることができる。尚、より簡素な手段として、自転車のサドルあるいはペダルに感圧センサを設け、サドルあるいはペダルにかかる荷重から、ユーザが自転車に乗車している状態であるか否かを判定するようにしてもよい。
【００３２】
出力制御部１５５は、非加速こぎ動作判定処理結果及び撮影制御指令信号により撮像装置３００に指令された内容を情報表示装置２００に出力する。
【００３３】
情報表示装置２００において、表示情報受信部２５１は、計測装置１００の出力制御部１５５から、非加速こぎ動作判定処理結果及び撮影制御指令信号により撮像装置３００に指令された内容を受信する。
表示制御部２５２は、表示情報受信部２５１が受信した非加速こぎ動作判定処理結果及び撮影制御指令信号により撮像装置３００に指令された内容をディスプレイに表示する。このとき、表示制御部２５２は、地図データに重畳して、ＧＰＳ等に基づく計測装置１００の現在位置を、非加速こぎ動作判定処理結果及び撮影制御指令信号により撮像装置３００に指令された内容と対応付けて表示することができる。
【００３４】
また、撮影処理が実行される場合には、図５に示すように、撮像装置３００のＣＰＵ３１１において、撮影制御指令信号受信部３５１と、撮影パラメータ設定部３５２と、撮像制御部３５３と、記憶制御部３５４とが機能する。
また、記憶部３１７の一領域には、画像記憶部３７１が設定される。
画像記憶部３７１には、撮像された静止画像または動画像が記憶される。本実施形態において、画像記憶部３７１には、撮像された静止画像または動画像のデータと、撮影位置を示す情報と、インターバル撮影における撮影間隔と、撮影日時とが対応付けて記憶される。
【００３５】
撮影制御指令信号受信部３５１は、計測装置１００から撮影制御指令信号を受信する。
撮影パラメータ設定部３５２は、撮影制御指令信号に含まれている撮影パラメータに撮像部３１６（図４）を設定する。ここで、撮影パラメータとしては、インターバル撮影における撮影間隔が含まれる。
【００３６】
撮像制御部３５３は、撮影パラメータ設定部３５２によって設定された撮影パラメータに従って、撮像部３１６による撮像を実行する。
【００３７】
記憶制御部３５４は、撮像部３１６によって撮像された撮像画像のデータを、撮影位置を示す情報と、インターバル撮影における撮影間隔と、撮影日時と対応付けて、画像記憶部３７１に記憶する。
【００３８】
［動作］
図７は、図５の機能的構成を有する図２の計測装置１００が実行する非加速こぎ動作検出処理の流れを説明するフローチャートである。
非加速こぎ動作検出処理は、ユーザによる入力部１１７（図２）への非加速こぎ動作検出処理開始のための操作により開始される。
【００３９】
ステップＳ１において、センサ情報取得部１５１は、センサ部１１６からセンサ情報を取得する。このセンサ情報には、ジャイロセンサによって検出された角速度が含まれる。
ステップＳ２において、非加速こぎ動作検出部１５２は、取得されたセンサ情報に基づいて、後述する角速度解析処理を実行する。
【００４０】
ステップＳ３において、撮影制御部１５３は、角速度解析処理の結果、非加速こぎ動作の状態が検出されているか否かの判定を行う。
角速度解析処理の結果、非加速こぎ動作の状態が検出されている場合、処理はステップＳ４に移行する。
一方、角速度解析処理の結果、非加速こぎ動作の状態が検出されていない場合、処理はステップＳ５に移行する。
【００４１】
ステップＳ４において、撮影制御部１５３は、即時に撮影を行わせる指令とインターバル撮影の撮影間隔を短縮させるための指令とが含まれた撮影制御指令信号を撮像装置３００に送信する。
【００４２】
また、ステップＳ４において、出力制御部１５５は、非加速こぎ動作判定処理結果及び撮影制御指令信号により撮像装置３００に指令された内容を情報表示装置２００に送信する。
【００４３】
ステップＳ５において、乗車判定部１５４は、センサ部１１６の計測結果に基づいて、自転車に乗車中の状態であるか否かの判定を行う。
自転車に乗車中の状態である場合、ステップＳ５においてＹＥＳと判定されて、処理はステップＳ１に戻る。
一方、自転車に乗車中の状態でない場合、ステップＳ５においてＮＯと判定されて、処理はステップＳ６に移行する。
【００４４】
ステップＳ６において、乗車判定部１５４は、自転車に乗車中でない時間に設定されたタイムアウトの状態となっている（自転車に乗車中でない時間に設定された閾値時間を超えている）か否かの判定を行う。
自転車に乗車中でない時間に設定されたタイムアウトの状態となっていない場合、ステップＳ６においてＮＯと判定されて、処理はステップＳ１に戻る。
一方、自転車に乗車中でない時間に設定されたタイムアウトの状態となっている場合、ステップＳ６においてＹＥＳと判定されて、非加速こぎ動作検出処理は終了する。
【００４５】
次に、非加速こぎ動作検出処理のステップＳ２で実行される角速度解析処理について説明する。
図８は、角速度解析処理の流れを説明するフローチャートである。
ステップＳ２１において、非加速こぎ動作検出部１５２は、センサ部１１６のジャイロセンサの検出結果に基づいて、鉛直軸回りの角速度の波形パターンについてゼロクロス検出を行うことにより、１周期分の信号を抽出して周波数解析を行う。
【００４６】
この周波数解析を行う場合、非加速こぎ動作検出部１５２は、ジャイロセンサによる検出結果である各軸の角速度に対して、予め、ジャイロセンサのローカル座標軸からワールド座標軸への変換処理を施す。このワールド座標軸への変換処理を経た鉛直軸回りの角速度波形パターンに基づいて、上述の非加速こぎ動作の検出が行われる。
また、非加速こぎ動作検出部１５２は、鉛直軸回りの角速度の検出結果に対し、例えば６Ｈｚ以上の高周波成分と、例えば０．１Ｈｚ以下の低周波成分とをフィルターでカットして、ノイズ成分を除去する。
【００４７】
ステップＳ２２において、非加速こぎ動作検出部１５２は、自転車における通常のペダリング回転数が３０〜９０ＲＰＭであることから、これに対応する０．５〜１．５Ｈｚの周波数成分を基本波として設定する。
【００４８】
ステップＳ２３において、非加速こぎ動作検出部１５２は、ステップＳ２１において周波数を解析した鉛直軸回りの角速度の波形パターンについて、３次高調波成分の値が所定値（予め設定された３次高調波成分の閾値）以上であるか否かを判定する。
３次高調波成分の値が所定値以上である場合、ステップＳ２３においてＹＥＳと判定されて、処理はステップＳ２４に移行する。
一方、３次高調波成分の値が所定値未満である場合、ステップＳ２３においてＮＯと判定されて、処理は非加速こぎ動作検出処理（図７）に戻る。
【００４９】
ステップＳ２４において、非加速こぎ動作検出部１５２は、非加速こぎ動作の状態が検出されたものとする。
ステップＳ２４の後、処理は非加速こぎ動作検出処理（図７）に戻る。
【００５０】
次に、撮影処理について説明する。
図９は、図５の機能的構成を有する図４の撮像装置３００が実行する撮影処理の流れを説明するフローチャートである。
この場合の撮影処理はインターバル撮影処理であり、ユーザが撮像装置３００の操作部３１９に対してインターバル撮影モードによる撮影開始の操作を行うことに対応して開始される。
ステップＳ１０１において、撮像制御部３５３は、通常のインターバル撮影の撮影間隔として設定された第１の撮影間隔でインターバル撮影を開始する。第１の撮影間隔は、例えば、６０秒とすることができる。
【００５１】
ステップＳ１０２において、撮影制御指令信号受信部３５１は、計測装置１００から撮影制御指令信号を受信したか否かを判定する。
計測装置１００から撮影制御指令信号を受信した場合、ステップＳ１０２においてＹＥＳと判定されて、処理はステップＳ１０３に移行する。
一方、計測装置１００から撮影制御指令信号を受信していない場合、ステップＳ１０２においてＮＯと判定されて、処理はステップＳ１０１に移行する。
【００５２】
ステップＳ１０３において、撮像制御部３５３は、撮影制御指令信号に含まれている即時に撮影を行わせる指令に応じて、画像を撮影する。
【００５３】
ステップＳ１０４において、撮影パラメータ設定部３５２は、撮影制御指令信号に含まれているインターバル撮影の撮影間隔を短縮させるための指令に応じて、第１の撮影間隔よりも短い第２の撮影間隔でインターバル撮影を実行する。第２の撮影間隔は、例えば、０．５秒とすることができる。
【００５４】
ステップＳ１０５において、撮影パラメータ設定部３５２は、所定時間（第２の撮影間隔でインターバル撮影を行う継続時間）が経過したか否かを判定する。
所定時間が経過した場合、ステップＳ１０５においてＹＥＳと判定されて、処理はステップＳ１０６に移行する。
一方、所定時間が経過していない場合は、ステップＳ１０５においてＮＯと判定されて、処理はステップＳ１０４に移行する。
【００５５】
ステップＳ１０６において、撮像制御部３５３は、予め設定されているインターバル撮影の継続時間が終了したか否かを判定する。
予め設定されているインターバル撮影の継続時間が終了した場合、ステップＳ１０６においてＹＥＳと判定されて、処理はステップＳ１０７に移行する。
一方、予め設定されているインターバル撮影の継続時間が終了していない場合、ステップＳ１０６においてＮＯと判定されて、処理はステップＳ１０１に移行する。
【００５６】
ステップＳ１０７において、撮像制御部３５３は、撮像画像のデータを画像記憶部３７１に記憶する。このとき、撮像画像のデータを情報表示装置２００等の他の装置に送信する設定となっている場合、撮像制御部３５３は、撮像画像のデータを他の装置に送信する。
【００５７】
このような処理により、情報処理システム１においては、ユーザにおける非加速こぎ動作の状態が検出された場合に、そのタイミングで画像を撮影することができると共に、所定時間、撮影間隔を短縮してインターバル撮影を実行することができる。
そのため、ユーザによる自転車の加速を行わない意図が反映されていると推測される非加速こぎ動作をトリガとして、撮影の頻度を高める制御を実行することができる。
即ち、情報処理システム１によれば、自転車のユーザをより適切に支援することができる。
【００５８】
なお、自転車に乗車中、ユーザが無意識にペダルを逆こぎ等することも考えられる。また、自転車の発進や登坂の開始時にも、半回転から１回転ほどペダルを逆こぎすることも考えられる。
このような、ユーザが自転車の加速を行わない意図を持っていない場合の逆こぎ動作（非加速こぎ動作）を一律に非加速こぎ動作として検出することを回避したい場合がある。
この場合に対処するためには、例えば、以下の何れかのような方策をとることができる。
（Ａ）ペダル等にかかる荷重を感圧センサ等により検出し、荷重が所定値に満たない場合は、意図しない非加速こぎであると推定し、非加速こぎ動作として検出しない。
（Ｂ）ペダルが逆回転する速度を検出し、速度が所定値より遅い（回転周期が長い）場合は、意図しない非加速こぎであると推定し、非加速こぎ動作として検出しない。
（Ｃ）ペダルの回転周期のばらつきを検出し、回転周期のばらつきが所定値より大きい場合は、意図しない非加速こぎであると推定し、非加速こぎ動作として検出しない。
（Ｄ）ペダルが逆回転された角度を検出し、逆回転が１周未満である場合は、発進や登坂の開始時であると推定し、非加速こぎ動作として検出しない。
（Ｅ）上記（Ａ）〜（Ｄ）における各条件の論理和を取り、少なくとも何れかに該当する場合には非加速こぎ動作として検出しない。
【００５９】
［変形例１］
上述の実施形態において、非加速こぎ動作検出部１５２が非加速こぎ動作を検出したときに、即時に撮影を実行すると共に、所定期間に亘って相対的に短い時間間隔（上述の例では、０．５秒）でインターバル撮影を実行することとした。これに対し、非加速こぎ動作検出部１５２が非加速こぎ動作を検出したときに、インターバル撮影の撮影タイミングとは独立したタイミングで、即時に撮影を１回実行することとしてもよい。
【００６０】
［変形例２］
上述の実施形態において、非加速こぎ動作検出部１５２が非加速こぎ動作を検出したときに、撮影制御部１５３が即時に撮影を行わせる指令とインターバル撮影の撮影間隔を短縮させるための指令を撮像装置３００に送信することとした。これに対し、非加速こぎ動作検出部１５２が非加速こぎ動作を検出したときに、撮影制御部１５３が撮像装置３００の撮影モードを変更させる指令を送信したり、撮像装置３００以外の他の機器を制御させたりすることとしてもよい。
例えば、撮影制御部１５３が、インターバル撮影を行うモードから、動画を撮影するモードに撮像装置３００の撮影モードを変更させることができる。
また、例えば、撮影制御部１５３が、撮像装置３００によって撮影した画像を、ＳＮＳ（Ｓｏｃｉａｌ  Ｎｅｔｗｏｒｋｉｎｇ  Ｓｅｒｖｉｃｅ）にアップロードさせる指令を情報表示装置２００に送信することができる。この場合、情報表示装置２００は、撮像装置３００から、撮影された画像を取得し、ユーザの投稿として、その画像をＳＮＳにアップロードすることができる。
【００６１】
［変形例３］
上述の実施形態において、通信によって制御可能な電動のブレーキ装置を自転車に備え、非加速こぎ動作検出部１５２が非加速こぎ動作を検出した場合に、制動指令信号を送信することにより、ブレーキ装置に自転車の制動動作を行わせることとしてもよい。
このとき、非加速こぎ動作におけるペダルの回転速度（逆回転速度）に応じて、制動の強さを変化させることとしてもよい。
【００６２】
［変形例４］
上述の実施形態において、非加速こぎ動作を検出する場合、種々の方法を採用することができる。
例えば、ユーザそれぞれの動作のパターンを計測装置１００が学習し、ユーザの行動パターンを反映させて、非加速こぎ動作を検出することができる。
即ち、ユーザによる動作として日常よく現れる動作のパターン、または、日常では現れ難い動作のパターンを、カメラその他のセンサでモニタして取得したデータから、計測装置１００が学習する。この学習は、例えば、３日間に亘って行う。
この学習によって得た動作のパターンを表す情報を、計測装置１００に登録しておく。そして、計測装置１００は、ユーザについて登録されている動作のパターンを参照して、ユーザの動作が非加速こぎ動作に該当するか否かを判定することができる。
【００６３】
［変形例５］
上述の実施形態における自転車は、道路を走行する乗り物としての自転車の他、自転車の形態を有する種々の器具や機器を対象とすることができる。
例えば、自転車の形態を有するゲーム機のコントローラや、自転車のシミュレータに本発明を適用することができる。
ゲーム機のコントローラや自転車のシミュレータに本発明を適用する場合、非加速こぎ動作検出部１５２が非加速こぎ動作を検出したことに基づいて、予め設定された所定の動作（例えば、風景を逆行表示させる動作やゲームあるいはシミュレーションを一時停止させる動作等）を行うことができる。
【００６４】
以上のように構成される情報処理システム１は、計測装置１００を含み、計測装置１００は、センサ情報取得部１５１と、非加速こぎ動作検出部１５２と、を備える。
センサ情報取得部１５１は自転車に乗車している際のユーザの物理量またはユーザが自転車をこぐ動作により自転車に作用する物理量を取得する。
非加速こぎ動作検出部１５２は、センサ情報取得部１５１により取得された物理量に基づいて、ユーザが自転車を加速させない非加速こぎ動作状態にあることを検出する。
これにより、ユーザが自転車をこぐ動作において、自転車を加速させない非加速こぎ動作状態を検出することが可能となる。
したがって、ユーザが自転車をこぐ動作をより適確に判別することができるため、自転車のユーザをより適切に支援することが可能となる。
【００６５】
また、センサ情報取得部１５１は、物理量として、自転車に乗車している際のユーザの角速度を取得する。
これにより、センサ情報取得部１５１は、ユーザの身体における回転運動をより正確に検出することが可能となる。
【００６６】
また、計測装置１００は、ユーザの身体に装着される身体装着型の装置として構成される。
これにより、ユーザに生じているより正確な角速度を取得でき、非加速こぎ動作をより適切に検出することが可能となる。
【００６７】
また、非加速こぎ動作検出部１５２は、ユーザの身体における鉛直軸周りの角速度波形の３次高調波成分に基づいて、非加速こぎ動作を検出する。
これにより、より明確な基準によって、適確に非加速こぎ動作を検出することができる。
【００６８】
また、計測装置１００は、撮影制御部１５３を備える。
撮影制御部１５３は、非加速こぎ動作検出部１５２により非加速こぎ動作状態が検出された場合に、所定の機器の動作を制御するための信号を出力する。
これにより、ユーザが非加速こぎ動作を行うことに対応して、所定の機器の動作を制御することが可能となる。
【００６９】
また、以上のように構成される情報処理システム１は、計測装置１００を含み、計測装置１００は、非加速こぎ動作検出部１５２と、撮影制御部１５３と、を備える。
非加速こぎ動作検出部１５２は、自転車に乗車しているユーザが自転車を加速させない非加速こぎ動作を行っているか否かを判定する。
撮影制御部１５３は、非加速こぎ動作検出部１５２によって、自転車に乗車しているユーザが自転車を加速させない非加速こぎ動作を行っていると判定された場合に、予め設定された所定の機器の動作を制御する。
これにより、所定の機器を、非加速こぎ動作が行われることに応じて制御することができる。
【００７０】
撮影制御部１５３は、非加速こぎ動作検出部１５２によって、自転車に乗車しているユーザが自転車を加速させない非加速こぎ動作を行っていると判定された場合に、所定の機器としての撮像装置に撮影動作を行わせる。
これにより、撮像装置を、非加速こぎ動作が行われることに応じて制御することができる。
【００７１】
撮影制御部１５３は、非加速こぎ動作検出部１５２によって、自転車に乗車しているユーザが自転車を加速させない非加速こぎ動作を行っていると判定された場合に、所定の機器としてのゲーム機またはシミュレータに、予め設定された所定の動作を行わせる。
これにより、ゲーム機またはシミュレータを、非加速こぎ動作が行われることに応じて制御することができる。
【００７２】
撮影制御部１５３は、非加速こぎ動作検出部１５２によって、自転車に乗車しているユーザが自転車を加速させない非加速こぎ動作を行っていると判定された場合に、所定の機器としてのブレーキ装置に自転車の制動動作を行わせる。
これにより、非加速こぎ動作が行われることに応じて、ブレーキを働かせることができるため、非加速こぎ動作を行うユーザにとって、直感的にわかり易い制御を行うことができる。
【００７３】
非加速こぎ動作とは、逆こぎ動作若しくはペダルを逆回転させる動作である。
これにより、ユーザが自転車の加速を行う意図を有する動作とは異なる動作によって、所定の機器を制御することが可能となる。
【００７４】
なお、本発明は、上述の実施形態に限定されるものではなく、本発明の目的を達成できる範囲での変形、改良等は本発明に含まれるものである。
【００７５】
上述の実施形態では、ペダルの回転軸にラチェット歯車を用いたフリーホイール機構を備えている自転車をこぐ場合において非加速こぎを検出する例について説明したが、これに限られない。即ち、ペダルの回転と後輪の回転とが固定されている固定ギアの自転車においても、物理量のデータ（センサ情報）から非加速こぎを検出することができる。例えば、ジャイロセンサによって検出される角速度に加え、加速度センサによって検出される進行方向の加速度及び重力加速度を参照し、速度、走行路の傾斜及び鉛直軸周りの角速度との関係における順こぎ動作と非加速こぎ動作とに表れる相違を検出することができる。また、ペダルの回転軸に圧力センサを備えることにより、ユーザが自転車をこぐ動作により自転車に作用する物理量を取得して、ユーザが駆動方向のトルクを与えていない（非加速こぎを行っている）か否かを検出することも可能である。
【００７６】
また、上述の実施形態では、計測装置１００をユーザの腰部に装着するものとして説明したが、これに限られない。例えば、計測装置１００は、ユーザに生じる物理量を計測できれば、ユーザの腕や頸あるいは胸部等に装着することとしてもよい。
【００７７】
また、上述の実施形態において、本発明が適用される計測装置１００は、情報処理機能を有する電子機器一般によって構成することができる。例えば、計測装置１００は、携帯型ナビゲーション装置、携帯電話機、スマートフォン、ポータブルゲーム機等によって構成することが可能である。
【００７８】
また、上述の実施形態では、本発明に関連して用いられる情報表示装置２００は、スマートフォンを例として説明したが、特にこれに限定されない。
例えば、情報表示装置２００は、情報表示機能を有する電子機器一般に適用することができる。具体的には、例えば、情報表示装置２００は、ノート型のパーソナルコンピュータ、テレビジョン受像機、ビデオカメラ、携帯型ナビゲーション装置、携帯電話機、ポータブルゲーム機等によって構成することが可能である。
【００７９】
また、上述の実施形態では、本発明が適用される撮像装置３００は、デジタルカメラを例として説明したが、特にこれに限定されない。
例えば、撮像装置３００は、撮像機能を有する電子機器一般に適用することができる。例えば、撮像装置３００は、ノート型のパーソナルコンピュータ、ビデオカメラ、携帯型ナビゲーション装置、携帯電話機、スマートフォン、ポータブルゲーム機等によって構成することが可能である。
【００８０】
上述した一連の処理は、ハードウェアにより実行させることもできるし、ソフトウェアにより実行させることもできる。
換言すると、図５の機能的構成は例示に過ぎず、特に限定されない。即ち、上述した一連の処理を全体として実行できる機能が情報処理システム１に備えられていれば足り、この機能を実現するためにどのような機能ブロックを用いるのかは特に図５の例に限定されない。
また、１つの機能ブロックは、ハードウェア単体で構成してもよいし、ソフトウェア単体で構成してもよいし、それらの組み合わせで構成してもよい。
【００８１】
つまり、情報処理システム１の機能構成は、全体として、図５に示す機能が実現されていれば、いずれの装置が各機能を備えるかは、図５の例に限定されず、情報表示装置２００が非加速こぎ動作検出部１５２、撮影制御部１５３、乗車判定部１５４あるいは出力制御部１５５等の機能の一部または全部を備えること等が可能である。
【００８２】
即ち、上述の実施形態では、計測装置１００が、センサ部１１６と、非加速こぎ動作検出部１５２とを備え、非加速こぎ動作検出部１５２は、センサ部１１６によって計測された物理量に基づいて、非加速こぎ動作を検出することとしたが、これに限られない。例えば、計測装置１００はセンサ部１１６のみを有し、センサ部１１６によって計測された物理量の情報を情報表示装置２００に送信することとしてもよい。
【００８３】
そして、情報表示装置２００は、その送信された物理量の情報を取得し、取得した物理量の情報に基づいて非加速こぎ動作を検出することとしてよい。このように、ユーザに係る物理量については、非加速こぎ動作検出部１５２を備える装置が直接計測して取得したり、他の装置によって計測したものを非加速こぎ動作検出部１５２を備える装置が通信等を介して取得したりすることができる。
【００８４】
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【００８５】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００８６】
このようなプログラムを含む記録媒体は、ユーザにプログラムを提供するために装置本体とは別に配布される図３のリムーバブルメディア２３１により構成されるだけでなく、装置本体に予め組み込まれた状態でユーザに提供される記録媒体等で構成される。リムーバブルメディア２３１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１１２や図３のＲＯＭ２１２、図２の記憶部１１９に含まれる半導体メモリや図３の記憶部２１９に含まれるハードディスク等で構成される。
【００８７】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
また、本明細書において、システムの用語は、複数の装置や複数の手段等より構成される全体的な装置を意味するものとする。
【００８８】
以上、本発明のいくつかの実施形態について説明したが、これらの実施形態は、例示に過ぎず、本発明の技術的範囲を限定するものではない。本発明はその他の様々な実施形態をとることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
例えば、上述においては、ペダリング機構を有する装置が自転車である場合について詳述したが、ペダリング機構を有する装置はこれに限られず、種々の態様のものがこれに該当する。具体例としては、フットネスバイクやペダル式エクササイズマシン、その他、ペダリング機構を有する種々のフットネスマシンも上述におけるペダリング機構を有する装置に該当する。また、ペダリング機構によって推進器を回転させるスワンボートと通称されるようなボートや、その他の種々の足こぎ式のボート等も、上述におけるペダリング機構を有する装置に該当する。
【００８９】
以下に、本願の出願当初の特許請求の範囲に記載された発明を付記する。
［付記１］
ペダリング機構を有する装置を操作している際のユーザの物理量またはユーザがペダリング機構を有する装置を操作する動作により前記ペダリング機構に作用する物理量を取得する取得手段と、
前記取得手段により取得された前記物理量に基づいて、前記ユーザがペダリング機構を有する装置を加速させない非加速こぎ動作状態にあることを検出する非加速こぎ動作検出手段と、
を備えることを特徴とする情報処理装置。
［付記２］
前記取得手段は、前記物理量として、ペダリング機構を有する装置を操作している際のユーザの角速度を取得することを特徴とする付記１に記載の情報処理装置。
［付記３］
前記情報処理装置は、ユーザの身体に装着される身体装着型の装置として構成されることを特徴とする付記２に記載の情報処理装置。
［付記４］
前記非加速こぎ動作検出手段は、ユーザの身体における鉛直軸周りの角速度波形の３次高調波成分に基づいて、前記非加速こぎ動作を検出することを特徴とする付記２または３に記載の情報処理装置。
［付記５］
前記非加速こぎ動作検出手段により非加速こぎ動作状態が検出された場合に、所定の機器の動作を制御するための信号を出力する制御信号出力手段を
更に備えることを特徴とする付記１乃至４のいずれか一つに記載の情報処理装置。
［付記６］
ペダリング機構を有する装置のペダリング機構を操作しているユーザがペダリング機構を有する装置を加速させない非加速こぎ動作を行っているか否かを判定する動作判定手段と、
前記動作判定手段によって、前記ペダリング機構を操作しているユーザがペダリング機構を有する装置を加速させない非加速こぎ動作を行っていると判定された場合に、予め設定された所定の機器の動作を制御する動作制御手段と、
を備えることを特徴とする情報処理装置。
［付記７］
前記動作制御手段は、前記動作判定手段によって、ペダリング機構を有する装置を操作しているユーザがペダリング機構を有する装置を加速させない非加速こぎ動作を行っていると判定された場合に、前記所定の機器としての撮像装置に撮影動作を行わせることを特徴とする付記６に記載の情報処理装置。
［付記８］
前記動作制御手段は、前記動作判定手段によって、ペダリング機構を有する装置を操作しているユーザがペダリング機構を有する装置を加速させない非加速こぎ動作を行っていると判定された場合に、前記所定の機器としてのゲーム機またはシミュレータに、予め設定された所定の動作を行わせることを特徴とする付記６に記載の情報処理装置。
［付記９］
前記動作制御手段は、前記動作判定手段によって、ペダリング機構を有する装置を操作しているユーザがペダリング機構を有する装置を加速させない非加速こぎ動作を行っていると判定された場合に、前記所定の機器としてのブレーキ装置にペダリング機構を有する装置の制動動作を行わせることを特徴とする付記６に記載の情報処理装置。
［付記１０］
前記非加速こぎ動作とは、逆こぎ動作若しくはペダルを逆回転させる動作である
ことを特徴とする付記１乃至９のいずれか一項に記載の情報処理装置。
［付記１１］
情報処理装置が実行する情報処理方法であって、
ペダリング機構を有する装置を操作している際のユーザの物理量またはユーザがペダリング機構を有する装置を操作する動作により前記ペダリング機構に作用する物理量を取得する取得ステップと、
前記取得ステップにより取得された前記物理量に基づいて、前記ユーザがペダリング機構を有する装置を加速させない非加速こぎ動作状態にあることを検出する非加速こぎ動作検出ステップと、
を含むことを特徴とする情報処理方法。
［付記１２］
ペダリング機構を有する装置を操作しているユーザがペダリング機構を有する装置を加速させない非加速こぎ動作を行っているか否かを判定する動作判定ステップと、
前記動作判定ステップにおいて、ペダリング機構を有する装置を操作しているユーザがペダリング機構を有する装置を加速させない非加速こぎ動作を行っていると判定された場合に、予め設定された所定の機器の動作を制御する動作制御ステップと、
を含むことを特徴とする情報処理方法。
［付記１３］
コンピュータに、
ペダリング機構を有する装置を操作している際のユーザの物理量またはユーザがペダリング機構を有する装置を操作する動作により前記ペダリング機構に作用する物理量を取得する取得機能と、
前記取得機能により取得された前記物理量に基づいて、前記ユーザがペダリング機構を有する装置を加速させない非加速こぎ動作状態にあることを検出する非加速こぎ動作検出機能と、
を実現させることを特徴とするプログラム。
［付記１４］
コンピュータに、
ペダリング機構を有する装置を操作しているユーザがペダリング機構を有する装置を加速させない非加速こぎ動作を行っているか否かを判定する動作判定機能と、
前記動作判定機能によって、ペダリング機構を有する装置を操作しているユーザがペダリング機構を有する装置を加速させない非加速こぎ動作を行っていると判定された場合に、予め設定された所定の機器の動作を制御する動作制御機能と、
を実現させることを特徴とするプログラム。
【符号の説明】
【００９０】
１・・・情報処理システム，１００・・・計測装置，２００・・・情報表示装置，３００・・・撮像装置，１１１、２１１、３１１・・・ＣＰＵ，１１２、２１２、３１２・・・ＲＯＭ，１１３、２１３、３１３・・・ＲＡＭ，１１４、２１４、３１４・・・バス，１１５、２１５、３１５・・・入出力インターフェース，１１６・・・センサ部，２１６，３１６・・・撮像部，１１７、２１７・・・入力部，１１８、２１８・・・出力部，１１９、２１９、３１７・・・記憶部，１２０、２２０、３１８・・・通信部，３１９・・・操作部，２２１・・・ドライブ，２３１・・・リムーバブルメディア，１５１・・・センサ情報取得部，１５２・・・非加速こぎ動作検出部，１５３・・・撮像制御部，１５４・・・乗車判定部，１５５・・・出力制御部，１７１・・・センサ情報記憶部，２５１・・・表示情報受信部，２５２・・・表示制御部，３５１・・・撮影制御信号受信部，３５２・・・撮影パラメータ設定部，３５３・・・撮像制御部，３５４・・・記憶制御部，３７１・・・画像記憶部
【図１】
2018158672.tif 000003
【図２】
2018158672.tif 000004
【図３】
2018158672.tif 000005
【図４】
2018158672.tif 000006
【図５】
2018158672.tif 000007
【図６】
2018158672.tif 000008
【図７】
2018158672.tif 000009
【図８】
2018158672.tif 000010
【図９】
2018158672.tif 000011